(57)【要約】【課題】  原稿画像を読み取ってボックス文書とジョブ結合する際に原稿画像の読み取り設定を最適に勝つ容易に行なう。【解決手段】  原稿を読み取る際の読み取り設定を、ジョブ結合する対象として指定されたボックス文書の設定を検索して（Ｓ１１０８）、検索した設定値を操作画面に表示する（Ｓ１１０９）。【選択図】  図１１
2007013607.tif 000002
【特許請求の範囲】
【請求項１】
原稿画像を読み取り、画像データを生成する読み取り手段と、
前記読み取り手段が読み取った画像データ、または外部から受信した画像データを記憶する記憶手段と、
前記記憶手段に記憶された画像データを指定する指定手段と、
前記指定手段により指定された画像データの設定値を読み出して前記読み取り手段の原稿読み取り設定項目の少なくとも一部として設定する設定手段と、を有することを特徴とする画像処理装置。
【請求項２】
前記読み取り手段は前記設定手段による設定に従って原稿画像を読み取ることを特徴とする請求項１に記載の画像処理装置。
【請求項３】
更に、前記読み取り設定項目を表示する表示手段を有することを特徴とする請求項１または２のいずれかに記載の画像処理装置。
【請求項４】
更に、前記設定手段が設定した後の読み取り設定の内容を変更する変更手段を有することを特徴とする請求項１〜３のいずれかに記載の画像処理装置。
【請求項５】
前記表示手段は、前記設定手段によって設定された設定項目の他に、ユーザに優先的に設定させたい他の設定項目を識別可能に表示することを特徴とする、請求項３に記載の画像処理装置。
【請求項６】
更に、前記読み取り手段が生成した画像データと、前記指定手段により指定された画像データとを結合し結合画像データを生成する結合手段を有することを特徴とする、請求項１〜５のいずれかに記載の画像処理装置。
【請求項７】
更に前記結合手段が結合した結合画像データを外部へ送信する送信手段を有することを特徴とする請求項６に記載の画像処理装置。
【請求項８】
前記結合手段が結合した結合画像データを、前記指定手段が指定した画像データに上書きすることによって前記記憶手段に記憶することを特徴とする請求項６に記載の画像処理装置。
【請求項９】
前記結合手段が結合した結合画像データの名称を変更することによって、前記指定手段が指定した画像データとは別に前記記憶手段に記憶することを特徴とする請求項６に記載の画像処理装置。
【請求項１０】
前記指定手段が指定した画像データの設定値が検知できない場合、前記表示手段は設定できる項目が無い旨を表示することを特徴とする請求項１〜９のいずれかに記載の画像形成装置。
【請求項１１】
更に、前記指定手段により指定された画像データ中に挿入されるページを指定する挿入位置指定手段を有し、
前記結合手段は、前記挿入位置指定手段による指定に基づいて前記読み取り画像データと前記指定手段により指定された画像データとを結合することを特徴とする請求項６に記載の画像処理装置。
【請求項１２】
原稿画像を読み取り、画像データを生成する読み取り工程と、
前記読み取り工程で読み取った画像データ、または外部から受信した画像データを記憶する記憶工程と、
前記記憶工程で記憶された画像データを指定する指定工程と、
前記指定工程で指定された画像データの設定値を読み出して読み取り工程での原稿読み取り設定項目の少なくとも一部として設定する設定工程と、を有することを特徴とする画像処理装置の制御方法。
【請求項１３】
請求項１２の制御方法をコンピュータに実行させることを特徴とするコンピュータプログラム。
【請求項１４】
請求項１３のコンピュータプログラムを格納したコンピュータ読出し可能な記憶媒体。
【発明の詳細な説明】
【技術分野】
【０００１】
本発明は、画像処理装置に関して、原稿読み取り動作における各種の設定を容易に行なうための技術に関するものである。
【背景技術】
【０００２】
近年、複写機能、プリント機能、スキャン機能、ファクシミリ／ネットワーク送受信機能などを備えたマルチファンクションペリフェラル（以下ＭＦＰという）では、ＭＦＰが有するストレージ（ボックスともいう）に蓄積されている複数の画像データ、文書データファイル、コピージョブなど（以下、これらを総称して文書データとする）を単一の文書として結合し、この結合した文書データを印刷あるいはファクシミリ／ネットワーク送信する際に単一のジョブとして扱う、「ジョブ結合」（あるいは「ビルドジョブ」ともいう）という機能を有するようになってきた（例えば、特許文献１参照）。
【０００３】
ジョブ結合を行なうと、結合元の文書データに付加されているプリント設定（例えば両面印刷や２ｉｎ１の設定など）を、ジョブ結合後データ全体に対しても反映したり、あるいは、結合するすべての画像データの設定をクリアして、結合されたジョブに対して新たに設定を行なったりすることが可能である。
【０００４】
また、ＭＦＰのストレージ（ボックス）に記憶されている文書データ同士のジョブ結合のみならず、最近ではストレージに記憶されている文書データと、原稿画像を読み取って生成した画像データとをジョブ結合することも行なわれるようになってきた。
【特許文献１】特開２００３−８４９４１号公報
【発明の開示】
【発明が解決しようとする課題】
【０００５】
しかしながら、ジョブ結合機能を有するＭＦＰにおいて、原稿を読み取って既にボックス内に記憶されている文書データと結合する場合、読み取る原稿の読み取り設定（読み取り解像度や、読み取りサイズや、保存するファイルフォーマットの設定など）を結合する文書データと統合することは、ユーザにとっては操作が困難でありかつ煩雑である。
【０００６】
かといって、結合先の文書データとの設定を統合することなくジョブ結合してしまうとひとつの文書データ中に異なる設定が混在してしまい、ユーザにとってはデメリットになることがある。例えば、意図的に白黒画像としてボックスに保存した文書に対してカラー画像データをジョブ結合すると、結合した文書データ中に部分的にカラー画像が存在することになり、ユーザの本来の意図に反した文書が保存されてしまう。また、例えば、意図的に（ファイルサイズを小さくする目的などで）低解像度設定でボックスに保存された文書に対して高解像度の読み取り原稿画像データをジョブ結合してしまうと、ユーザの本来の意図に反してファイルサイズが大きい文書になってしまう。また、例えば、Ａ４サイズで保存されている文書データにＡ３原稿を等倍で読み取った画像データして結合してしまうと、結合した文書データ中、部分的にサイズの異なるページが存在してしまい、このような文書を後に印刷する際に、特に両面印刷やフィニッシングにおいて不具合が発生することがある。
【０００７】
また、原稿を読み取って電子化した画像データと、もともとＭＦＰのボックス内に蓄積されている１つ以上の文書データとをジョブ結合して電子メールに添付して送信したり、ＳＭＢ（Ｓｅｒｖｉｃｅ  Ｍｅｓｓａｇｅ  Ｂｌｏｃｋ）や、ＦＴＰ（Ｆｉｌｅ  Ｔｒａｎｓｆｅｒ  Ｐｒｏｔｏｃｏｌ）等のファイル転送プロトコルを用いて送信する場合、単純に複数のデータを結合して、１つの文書データであるファイルを生成して、文書を送信してしまうと、データ受信者にとって、上述と同様のデメリットが発生する。
【０００８】
更に、ジョブ結合時に結合する文書の設定を一旦クリアして、新しく設定をしなおす場合は、設定項目が多くユーザにとって作業が困難かつ煩雑であるという問題もある。
【０００９】
本発明は以上の問題に鑑みてなされたものであり、原稿を読み取ってボックス内の文書データとジョブ結合する際の読み取り設定を最適にかつ容易に行なうことができる技術を提供することを目的とする。
【課題を解決するための手段】
【００１０】
本発明の目的を達成するために、本発明は、原稿画像を読み取り、画像データを生成する読み取り手段と、前記読み取り手段が読み取った画像データ、または外部から受信した画像データを記憶する記憶手段と、前記記憶手段に記憶された画像データを指定する指定手段と、前記指定手段により指定された画像データの設定値を読み出して前記読み取り手段の原稿読み取り設定項目の少なくとも一部として設定する設定手段と、を有することを特徴とする画像処理装置を提供することを目的とする。
【００１１】
また本発明は、原稿画像を読み取り、画像データを生成する読み取り工程と、前記読み取り工程で読み取った画像データ、または外部から受信した画像データを記憶する記憶工程と、前記記憶工程で記憶された画像データを指定する指定工程と、前記指定工程で指定された画像データの設定値を読み出して読み取り工程での原稿読み取り設定項目の少なくとも一部として設定する設定工程と、を有することを特徴とする画像処理装置の制御方法を提供することを目的とする。
【発明の効果】
【００１２】
本発明の構成によりスキャン操作を行なうユーザの利便性を向上することができ、ジョブ結合における文書データの設定を統合することができる。
【発明を実施するための最良の形態】
【００１３】
以下、添付図面を参照して、本発明を好適な実施形態に従って詳細に説明する。ただし、以下の実施形態に記載されている構成要素はあくまで例示であり、本発明の範囲をそれらのみに限定する趣旨のものではない。
【００１４】
図１は本特許における各実施例の基本となるスキャン・プリントシステムの構成を示す図である。
【００１５】
ローカルエリアネットワーク（ＬＡＮ）１２０には、ＭＦＰ−Ａ１００、ＰＣ−Ａ１３０、ＰＣ−Ｂ１４０、ＰＣ−Ｃ１５０が接続されている。また、ＬＡＮ１２０はインターネット１６０に接続されており、ＰＣ−Ｄ１７０がインターネット上に接続されている。
【００１６】
ＬＡＮ１２０上に接続されるＰＣ−Ａ１３０、ＰＣ−Ｂ１４０、ＰＣ−Ｃ１５０や、インターネット１６０を介して接続されるＰＣ−Ｄ１７０は、パーソナルコンピュータ（ＰＣ）等に代表される情報処理装置であり、必要に応じてＭＦＰ−Ａ１００や、他のＰＣ等と印刷データや電子メール等の各種データの送受信を行なったり、ＭＦＰ−Ａ１００の制御を行うものとする。
【００１７】
ＰＣ−Ｄ１７０は、インターネット１６０を介してＬＡＮ１２０に接続されているＰＣであり、必要に応じてＬＡＮ１２０上の他のＰＣなどとデータやメール等のやり取りを行う事が可能なものとする。
【００１８】
ＭＦＰ−Ａ１００はコピー、ファクシミリ送受信、ネットワーク送受信、プリント、スキャン機能を有する画像処理装置であり、マルチファンクションペリフェラル（ＭＦＰ）と呼ばれるものである。
【００１９】
ＭＦＰ−Ａ１００において、スキャナ部１０１はＣＣＤにより原稿を光学的に読み取り、アナログ・デジタル変換によって、ＲＧＢのデジタル信号とするものである。
【００２０】
画像処理部１０２は、スキャナ部１０１等からデジタル化されたＲＧＢ（レッド、グレーン、ブルー）信号を入力し、フィルタリングや色変換、変倍などの各種画像処理を行い、出力先に応じた信号、例えばカラー２値プリンタの場合、ＣＭＹＫ（シアン、マゼンダ、イエロー、ブラック）の２値画像信号、カラー多値出力の場合、各種画像処理を行った後、ＲＧＢ多値信号として出力を行う。
【００２１】
メモリ１０３はスキャナ部１０１からのＲＧＢ画像データや、画像処理部１０２からの各種画像データなど、画像データを確保しておく部分で、ＲＡＭ（Ｒａｎｄｏｍ  Ａｃｃｅｓｓ  Ｍｅｍｏｒｙ）などの記憶媒体などで構成されている。メモリ１０３を用いることによって同じ画像データを複数枚印刷するときなど、スキャナを複数回動作させること無く、メモリ１０３内に格納されている画像データを繰り返し読み出して出力することによって、プリント処理時間の短縮が可能となる。
【００２２】
プリンタ部１０４は、画像データに基づいて印刷出力を行なう。本実施形態ではＣＭＹＫ４色のインクを使用するカラー２値プリンタとする。しかし、これに限らず、カラーの多値出力可能なカラープリンタや、モノクロのプリンタなどでも良い。また、印刷方式も電子写真方式であってもインクジェット記録方式であってもかまわない。
【００２３】
圧縮伸張処理部１０５は、ＲＧＢ多値画像データの圧縮伸張処理や、ＣＭＹＫ２値画像データの圧縮伸張処理などを行う。
【００２４】
画像蓄積部１１０は、複数の画像データを格納しておくことができる。画像蓄積部１１０は、ハードディスクドライブ（ＨＤＤ）などの大容量の記憶媒体を使用し、大量のデータが格納可能としておき、それらの管理はＭＦＰ−ＡのＣＰＵ１０９によって行われるものとする。また、画像蓄積部１１０は後述する「ボックス」を構成することができ、ボックス内にはスキャナ部１０１で読み取った画像データや、ＬＡＮ１２０経由で外部から受信した画像データや印刷データを蓄積することができる。（以下、このボックス内に保存される各種画像データや印刷データをボックス文書と総称する。）
外部インターフェイス（以降「外部Ｉ／Ｆ」とする）１０６は、ＭＦＰ−Ａ１００がＬＡＮ１２０に接続し、各種画像データや制御用のコマンドの入出力を行うにあたり、各種ネットワークのプロトコルにあった通信を行うためのインターフェイス部分となる。
【００２５】
データパス制御部１０７は、ＭＦＰ−Ａ１００の動作にしたがって、各種処理部分の画像データの受け渡しを行う役割をする。
【００２６】
データパス制御部１０７の制御をはじめとする、各種動作モードにおける各処理部分の制御は、操作部１０９によってユーザから指示が与えられ、ＣＰＵ１１０によって制御が行われるものとする。そして、ＣＰＵ１１０が実行するＭＦＰ−１００を制御するためのプログラムはＲＯＭ１１１に格納されており、ＣＰＵ１１０はＲＯＭ１１１に格納されたプログラムをメモリ１０３にロードして実行する。
【００２７】
操作部１０９は、図９に示すように、タッチパネル方式の液晶ディスプレイなどを使用した表示部９０２と、主に数字の入力を行う為のテンキーや、表示部に表示されるカーソルやモード選択を行う場合の移動を指示するカーソル移動キー、コピーモードやＳＥＮＤモード、ボックスモードなど、ＭＦＰ−Ａ１００動作モードの設定を切り替えるモード設定キー、動作のスタートを指示するスタートキー、設定のクリアを行うクリアキーなどから構成させる入力部９０４から構成されているものとする。
【００２８】
次に、ＭＦＰ−Ａ１００内の画像処理部１０２に関する詳細な内容の説明を行う。
【００２９】
図７は画像処理部１０２の詳細な機能ブロックを示した図である。
【００３０】
ここではまず、スキャナ部１０１から入力されたＲＧＢ多値画像データを、プリンタ部１０４によって印刷出力を行うために、ＣＭＹＫの２値画像データに変換して出力を行う例を示す。
【００３１】
入力インターフェイス７００１は、データパス制御部１０７から入力される画像データを受信し、画像処理部１０２内部の処理に合わせてデータの変換を行うインターフェースである。本実施形態では、入力インターフェース７００１はＲＧＢ多値画像データの入力を行うこととなる。
【００３２】
拡大縮小部７００２は、入力されたＲＧＢ多値画像データを、出力するプリンタの解像度や出力する用紙サイズ等に合わせて解像度変換を行う事により、拡大・縮小の処理を行う。
【００３３】
エッジ強調部７００３は、ｎ×ｍのエリアにおける加重演算を行うことにより、シャープネスの処理やスムージングの処理を行う。
【００３４】
画像回転処理部７００４は、内蔵されたメモリに一度画像データを格納し、出力用紙に合わせて縦位置で入力された画像データを横位置の用紙に出力を行う場合などに、９０度回転等の画像回転処理を行う。
【００３５】
色空間変換部７００５は、入力された画像データの色空間を他の色空間に変換する必要がある場合に処理を行う部分である。本実施形態では、スキャナ部１０１から入力されたＲＧＢ画像データを、プリンタ部１０４での印刷出力で用いられるＣＭＹ色空間にＬＯＧ（対数）変換を行う。
【００３６】
黒生成部７００６は、ＣＭＹの最低値をＫ信号値として抽出を行う部分である。
【００３７】
出力色調整部７００７は、ＣＭＹＫの各値をプリンタの特性に合わせて色味の調整を行なったり、濃度の調整を行う。
【００３８】
２値化処理部７００８は、カラー２値プリンタ出力用のデータを作成するため、誤差拡散方等の公知の擬似中間調処理を用いた２値変換処理を行うことにより、ＣＭＹＫ各１ビットの２値信号の出力を行う。
【００３９】
セレクタ７００９は、ＲＧＢ多値画像データとＣＭＹＫ２値画像データのどちらの出力を行うかの選択を行う。
【００４０】
出力インターフェイス７０１０は、セレクタ７００９によって選択された画像データ信号を、データパス制御部１０７へ出力する際に、データパスを通す時のデータフォーマットに変換を行うインターフェイスとなる。本実施例では、ＣＭＹＫ２値画像データの出力を行うこととなる。
【００４１】
上記各処理部分の設定や動作に関しては、全てＣＰＵ１０９からの制御信号によって制御されているものとする。例えば、拡大縮小部７００２の変倍率の設定や、エッジ強調部７００３のフィルタリングの係数、画像回転処理部７００４の回転の有無や角度、２値化処理部７００８の処理方法など、全てＣＰＵ１０９からの制御信号によって制御されるものとする。
【００４２】
次に、ＭＦＰ−Ａ１００内の圧縮伸張処理部１０５に関する詳細な内容の説明を行う。
【００４３】
図８は圧縮伸張処理部１０５の詳細な機能ブロックを示した図である。
【００４４】
入力インターフェイス（Ｉ／Ｆ）８００１は、データパス制御部１０７からの画像データの入力を行う。
【００４５】
セレクタ・Ａ８００２は、入力された画像データが多値の画像データが圧縮されたデータであった場合には多値画像伸張処理部８００３へ、多値の画像データの非圧縮データであった場合には多値画像圧縮処理部８００４へ、また入力された画像データが２値の画像データが圧縮されたデータであった場合には２値画像伸張処理部８００５へ、２値の画像データの非圧縮データであった場合には２値画像圧縮処理部８００６へと入力データの振り分けを行う。
【００４６】
多値画像伸張処理部８００３は、データ圧縮処理によって圧縮された多値画像データの伸張処理を行う。本実施形態の場合、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）の伸張処理をこの部分で行う。
【００４７】
多値画像圧縮処理部８００４は、スキャナ部１０１から入力された、ＲＧＢの多値画像の非圧縮データの圧縮処理を行う。本実施形態の場合、ＪＰＥＧの圧縮処理をこの部分で行う。
【００４８】
２値画像伸張処理部８００５は、データ圧縮処理によって圧縮された２値画像データの伸張処理を行う。本実施形態の場合、ＪＢＩＧ（Ｊｏｉｎｔ  Ｂｉ−ｌｅｖｅｌ  Ｉｍａｇｅ  ｅｘｐｅｒｔｓ  Ｇｒｏｕｐ）の伸張処理をこの部分で行う。
【００４９】
２値画像圧縮処理部８００６は、画像処理部１０２によってプリントアウト用に処理されて入力されたような、ＣＭＹＫの２値画像の生データの圧縮処理を行う。本実施形態の場合ＪＢＩＧの圧縮処理をこの部分で行う。
【００５０】
本実施形態において、多値画像の圧縮方式として、ＪＰＥＧ、２値画像の圧縮方式としてＪＢＩＧを用いるが、他の圧縮方式を用いても構わない。
【００５１】
セレクタ・Ｂ８００７は、入力Ｉ／Ｆ８００１から入力された画像データが多値の画像データで、かつ、圧縮データであった場合には多値画像伸張処理部８００３からの入力を選択する。入力Ｉ／Ｆ８００１から入力された画像データが多値の画像データで、かつ、非圧縮データであった場合、セレクタ・Ｂ８００７は多値画像圧縮処理部８００４からの入力を選択する。入力Ｉ／Ｆ８００１から入力された画像データが２値の画像データで、かつ、圧縮データであった場合、セレクタ・Ｂ８００７は２値画像伸張処理部８００５からの入力を選択する。入力Ｉ／Ｆ８００１から入力された画像データが２値の画像データの非圧縮データであった場合、セレクタ・Ｂ８００７は２値画像圧縮処理部８００６からの入力を出力用の画像データとして、出力Ｉ／Ｆ５１０８へと選択して出力を行う。
【００５２】
出力インターフェイス（Ｉ／Ｆ）８００８は、圧縮伸張処理部１０５の内部で処理された画像データをデータパス制御部１０７へ出力を行う。
【００５３】
次に、ＭＦＰ−Ａ１００における各種動作と、各動作を実行する際におけるＭＦＰ−Ａ１００内での画像データの流れを説明する。
【００５４】
＜コピー動作＞
図２は、ＭＦＰ−Ａ１００における、コピー動作を行う場合のスキャンからプリントまでのＭＦＰ−Ａ１００内の画像データの流れを説明する図である。図１と同じ部分には同一符号が付してある。
【００５５】
ユーザは操作部１０９より、コピー部数や原稿の種類などのコピーモードの設定を行う。コピーの各種設定が終了した時点で、操作部の入力部９０４からコピースタートを指示する。
【００５６】
スキャナ部１０１によるスキャン（原稿読み取り動作）によって原稿画像データがＲＧＢデータとしてスキャナ部１０１より出力され、原稿画像データは画像処理部１０２に入力され、操作部１０９で入力された設定に応じた所定の画像処理が実行される。本実施形態では、入力されたＲＧＢ画像データを、プリント出力用のＣＭＹＫ２値画像データへと処理を行うものとする。この画像データの流れは、図２におけるデータパス２００１の部分に相当する。
【００５７】
画像処理部１０２は各種画像処理を行い、ＣＭＹＫ２値のプリント画像データとしてデータパス制御部１０７へ画像データの出力を行う。そのＣＭＹＫ２値データは、メモリ１０３に格納される。この画像データの流れは、図２におけるデータパス２００２の部分に相当する。
【００５８】
原稿の画像データが全てメモリ１０３に格納された後、ＣＭＹＫ２値データはメモリ１０３から読み出され、データパス制御部１０７を経由してプリンタ部１０４に入力されプリントアウトされる。このデータの流れは、図２におけるデータパス２００３の部分に相当する。
【００５９】
複数部コピーの設定が行われていた場合には、２部目以降の画像データはメモリ１０３から読みだされプリントアウトされる。これによって、２部目以降のプリントアウトをする際に、原稿を再度スキャンする必要がなくなる。
【００６０】
全部数のプリントアウトが終了した時点で、コピー終了となる。
【００６１】
このコピー動作に関する設定は、操作部１０９からユーザによって入力され、その設定がＣＰＵ１１０に伝えられる。そしてＣＰＵの制御のもと、ＭＦＰ−Ａ１００を構成している各処理部分が動作する。そして、ユーザによる設定時の操作部１０９への画面表示や、コピー動作実行時のＭＦＰ−Ａ１００の動作状況の表示などは、ＣＰＵ１１０から操作部１０９へとデータが送られ、表示部９０２によってユーザに表示されることとなる。これらのデータのやり取りは図２の２００４、２００５に相当する。
【００６２】
＜スキャン  ｔｏ  ボックス動作＞
図３は、ＭＦＰ−Ａ１００における、スキャナ部１０１から読み取った原稿画像データを、圧縮処理を行った上でＭＦＰ−Ａ１００内の画像蓄積部１０８に格納する動作を行う場合の画像データの流れを示す。以下、この動作を「スキャン  ｔｏ  ボックス」と称する。また、画像蓄積部１０８を用いてスキャナ部１０１や外部から入力した画像データを蓄積したり、画像蓄積部１０８に蓄積された画像データを印刷出力したり、ファクシミリ送信、ネットワーク送信する機能をボックス機能という。なお、図３において図１と同じ部分には同一符号が付してある。
【００６３】
ユーザは操作部１０９より、原稿のサイズや種類、読み取り解像度、格納すべき画像蓄積部内のフォルダの選択といった、画像読み取りのための設定を行う。各種設定が終了した時点で、入力部９０４のキーからスキャンスタートを指示する。
【００６４】
スキャナ部１０１によるスキャン（原稿読み取り動作）によって原稿画像データがＲＧＢデータとしてスキャナ部１０１より出力され、原稿画像データは画像処理部１０２に入力され、設定に応じた所定の画像処理が実行される。本実施例では、入力されたＲＧＢ画像データを、画像蓄積部１０８格納用のＲＧＢ多値画像データへと処理を行うものとする。  この画像データの流れは、図３におけるデータパス３００１の部分に相当する。
【００６５】
画像処理部１０２は各種画像処理を行い、ＲＧＢ多値の画像蓄積部１０８への格納用画像データとしてデータパス制御部１０７へデータの出力を行う。そのＲＧＢ多値データは、メモリ１０３に格納される。この画像データの流れは、図３におけるデータパス３００２の部分に相当する。
【００６６】
原稿の画像データが全てメモリ１０３に格納された後、ＲＧＢ多値データはメモリ１０３から読み出され、データパス制御部１０７を通り圧縮伸張処理部１０５へと入力される。このデータの流れは、図３におけるデータパス３００３の部分に相当する。
【００６７】
圧縮伸張処理部１０５では、ＲＧＢ多値の非圧縮の画像データが入力された為、ＲＧＢ多値画像データのＪＰＥＧ圧縮処理を行う。圧縮伸張処理部１０５で、ＪＰＥＧ圧縮処理を施されたＲＧＢ多値のＪＰＥＧ画像データは、画像蓄積部１０８への格納用画像データとして、データパス制御部１０７へ出力される。このＪＰＥＧ画像データは、データパス制御部１０７を経て、画像蓄積部１０８の指定されたフォルダ内に格納されることとなる。この画像データの流れは、図３におけるデータパス３００４の部分に相当する。
【００６８】
このスキャン  ｔｏ  ボックス動作に関する設定は、操作部１０９からユーザによって入力され、その設定がＣＰＵ１１０に伝えられる。そしてＣＰＵの制御のもと、ＭＦＰ−Ａ１００を構成している各処理部分が動作する。そして、ユーザによる設定時の操作部１０９への画面表示や、ＭＦＰ−Ａ１００の動作状況の表示などは、ＣＰＵ１１０から操作部１０９へとデータが送られ、表示部９０２によってユーザに表示されることとなる。これらのデータのやり取りは図３の３００５、３００６に相当する。
【００６９】
＜ボックスプリント＞（図４：ＢＯＸプリント）
図４は、ＭＦＰ−Ａ１００における、画像蓄積部内１０８に蓄積されている画像データのプリントアウトを行う場合の画像データの流れを示す。以下、この動作を「ボックスプリント」と称する。なお、図４において、図１と同じ部分には同一符号が付してある。
【００７０】
ユーザはＭＦＰ−Ａ１００の操作部１０９より、出力すべき画像データが格納されている画像蓄積部１０８内のフォルダの指定や出力すべき画像の指定、プリントアウト出力時の各種モード（印刷部数、片面／両面印刷、フィニッシングの設定など）の設定を行う。各種設定が終了した時点で、入力部９０４のキーからプリントスタートを指示する。
【００７１】
プリントスタートの指示によって、画像蓄積部１０８内に格納されている指定された画像データがＪＰＥＧ圧縮されたＲＧＢデータとしてデータパス制御部１０７を経由して圧縮伸張部１０５へと入力される。この画像データの流れは、図４におけるデータパス４００１の部分に相当する。
【００７２】
圧縮伸張部１０５では、ＲＧＢ多値のＪＰＥＧ圧縮の画像データが入力された為、ＪＰＥＧ伸張処理を行う。圧縮伸張部１０５でＪＰＥＧ伸張処理を施されたＲＧＢ多値の画像データは、再びデータパス制御部１０７へ出力され、画像処理部１０２へと入力される。この画像データの流れは、図４におけるデータパス４００２の部分に相当する。
【００７３】
画像処理部１０２は、入力されたＲＧＢ多値の画像データに対して各種画像処理を行い、ＣＭＹＫ２値のプリント画像データとしてデータパス制御部１０７へ出力する。そのＣＭＹＫ２値データは、メモリ１０３に格納される。この画像データの流れは、図４におけるデータパス４００３の部分に相当する。
【００７４】
メモリ１０３に格納されたＣＭＹＫ２値データは、メモリ１０３から読みだされデータパス制御部１０７を経由してプリンタ部１０４に入力されプリントアウトされる。この画像データの流れは、図４におけるデータパス４００４の部分に相当する。
【００７５】
複数部プリントアウトの設定が行われていた場合には、２部目以降の画像データはメモリ１０３から出力されプリントアウトされる。これによって、２枚目以降のプリントアウトをする際に、画像データを再度画像蓄積部１０８から読出し、画像処理を行う必要がなくなる。そして、全部数のプリントアウトが終了した時点で、プリント動作終了となる。
【００７６】
このボックスプリント動作に関する設定は、操作部１０９からユーザによって入力され、その設定がＣＰＵ１１０に伝えられる。そしてＣＰＵの制御のもと、ＭＦＰ−Ａ１００を構成している各処理部分が動作する。そして、ユーザによる設定時の操作部１０９への画面表示や、ＭＦＰ−Ａ１００の動作状況の表示などは、ＣＰＵ１１０から操作部１０９へとデータが送られ、表示部９０２によってユーザに表示されることとなる。これらのデータのやり取りは図４の４００５、４００６に相当する。
【００７７】
＜ＳＥＮＤ動作＞
図５は、ＭＦＰ−Ａ１００における、スキャナ部１０１から読み取った画像データを、圧縮処理を行った上で電子メールに添付ファイルとして添付し、ネットワークを介して他の画像処理装置やＰＣへ送信する動作を行う場合の画像データの流れを示す。この動作を「ＳＥＮＤ」と称す。なお、図５において、図１と同じ部分には同一符号が付してある。
【００７８】
ユーザは操作部１０９より、画像データの送信先のアドレス設定や、送信する時の画像データの処理に関する設定（解像度、画像ファイルのフォーマットなど）を行う。各種設定が終了した時点で、操作部１０９のキー９０４から実行開始を指示する。なお、本実施形態において、送信先として、ＬＡＮ上のＰＣ−Ｂ１４０、ＰＣ−Ｃ１５０、及び、インターネット上に接続されているＰＣ−Ｄ１７０を設定しているものとする。
【００７９】
スキャナ部１０１によるスキャン（原稿読み取り動作）によって原稿画像データがＲＧＢデータとしてスキャナ部１０１より出力され、それら原稿画像データは画像処理部１０２に入力され、ユーザによる設定に応じた所定の画像処理が実行される。本実施形態では、入力されたＲＧＢ画像データを、電子メール添付用のＲＧＢ多値画像データへと処理を行うものとする。この画像データの流れは、図５におけるデータパス５００１の部分に相当する。
【００８０】
画像処理部１０２は各種画像処理を行い、ＲＧＢ多値のメール添付用画像データとして、データパス制御部１０７へデータの出力を行う。そのＲＧＢ多値データは、メモリ１０３に格納される。この画像データの流れは、図５におけるデータパス５００２の部分に相当する。
【００８１】
原稿の画像データが全てメモリ１０３に格納された後、ＲＧＢ多値データはメモリ１０３から出力され、データパス制御部１０７を経由して圧縮伸張処理部１０５へと入力される。この画像データの流れは、図５におけるデータパス５００３の部分に相当する。
【００８２】
圧縮伸張処理部１０５では、ＲＧＢ多値の非圧縮の画像データが入力された為、ＲＧＢ多値画像データのＪＰＥＧ圧縮処理を行う事となる。圧縮伸張処理部１０５で、ＪＰＥＧ圧縮処理を施されたＲＧＢ多値のＪＰＥＧ画像データは、電子メール添付用画像データとして、データパス制御部１０７へ出力される。このＪＰＥＧ画像データは、データパス制御部１０７を経由して、外部Ｉ／Ｆ１０６へ送られる。このデータの流れは、図５におけるデータパス５００４の部分に相当する。
【００８３】
外部Ｉ／Ｆ１０６では、入力されたＲＧＢ多値のＪＰＥＧ画像データを、操作部１０９からの設定によって予め作成されている電子メールへの添付ファイルとなるよう処理を行い、ＬＡＮ１２０上へ出力する。このデータの流れは、図５におけるデータパス５００５の部分に相当する。
【００８４】
ＭＦＰ−Ａ１００の外部Ｉ／Ｆ１０６から出力された添付ファイル付きの電子メールは、公知の電子メールと同様にＬＡＮ１２０を経由して、送信先として設定されていた、ＬＡＮ上のＰＣ−Ｂ１４０、ＰＣ−Ｃ１５０などに送られる。この電子メールの流れは、図５におけるデータパス５００６の部分にあたる。
【００８５】
また、送信宛先がインターネット上のＰＣ−Ｄ１７０も指定されているので、インターネット１６０を通じて、ＰＣ−Ｄ１７０に送信される。この電子メールの流れは、図５におけるデータパス５００７の部分に相当する。
【００８６】
通常、電子メールの送信において、データパス５００６、５００７中にはＳＭＴＰ（Ｓｉｍｐｌｅ  Ｍａｉｌ  Ｔｒａｎｓｆｅｒ  Ｐｒｏｔｏｃｏｌ）サーバやＰＯＰ（Ｐｏｓｔ  Ｏｆｆｉｃｅ  Ｐｒｏｔｏｃｏｌ）サーバなどが介在するものであるが、図５においてはこれらサーバの図示を省略する。
これらの動作に関する設定は、操作部から作業者によって入力され、その設定がＣＰＵに伝えられる。そしてＣＰＵの制御信号（図示していない）によって、ＭＦＰ・Ａを構成している各処理部分が動作する事となっている。（データパスの（８）部分）
このＳＥＮＤ動作に関する設定は、操作部１０９からユーザによって入力され、その設定がＣＰＵ１１０に伝えられる。そしてＣＰＵの制御のもと、ＭＦＰ−Ａ１００を構成している各処理部分が動作する。そして、ユーザによる設定時の操作部１０９への画面表示や、ＭＦＰ−Ａ１００の動作状況の表示などは、ＣＰＵ１１０から操作部１０９へとデータが送られ、表示部９０２によってユーザに表示されることとなる。これらのデータのやり取りは図４の４００５、４００６に相当する。
【００８７】
＜ボックス  ｔｏ  ＳＥＮＤ＞
図６は、ＭＦＰ−Ａ１００における、画像蓄積部１０８内に蓄積されている画像データを、画像処理を行った後、電子メールに添付ファイルとして添付し、送信する動作を行う場合の画像データの流れを示す。この動作を「ボックス  ｔｏ  ＳＥＮＤ」機能と称す。なお、図６において、図１と同じ部分には同一符号が付してある。
【００８８】
ユーザは操作部１０９より、送信する画像データが蓄積されている画像蓄積部１０８内のフォルダの指定や送信すべき画像の指定、送信先の指定や送信時の各種画像処理モードの設定（解像度の設定など）を行う。各種設定が終了した時点で、操作部１０９のキー９０４から送信開始を指示する。なお、送信先としては先述のＳＥＮＤ機能と同様に、ＬＡＮ上のＰＣ−Ｂ１４０、ＰＣ−Ｃ１５０、及び、インターネット上に接続されているＰＣ−Ｄ１７０を設定しているものとする。
【００８９】
画像蓄積部１０８内に格納されている、送信を指示された画像データは、ＪＰＥＧ圧縮されたＲＧＢデータとしてデータパス制御部１０７を経由して圧縮伸張処理部１０５へと入力される。この画像データの流れは、図６におけるデータパス６００１の部分に相当する。
【００９０】
圧縮伸張処理部１０５では、ＲＧＢ多値のＪＰＥＧ圧縮の画像データが入力された為、ＲＧＢ多値画像データをＪＰＥＧ伸張処理する。圧縮伸張処理部１０５で、ＪＰＥＧ伸張処理を施されたＲＧＢ多値の画像データは、再びデータパス制御部１０７へ出力され、画像処理部１０２へと入力される。この画像データの流れは、図６におけるデータパス６００２の部分に相当する。
【００９１】
画像処理部１０２では、入力されたＲＧＢ多値の画像データに対して各種画像処理を行いＲＧＢ多値のＳＥＮＤ用画像データとして、データパス制御部１０７へ出力する。そのＲＧＢ多値データは、メモリ１０３に格納される。この画像データの流れは、図６におけるデータパス６００３の部分に相当する。
【００９２】
画像データが全てメモリ１０３に格納された後、ＲＧＢ多値データはメモリ１０３から読み出され、データパス制御部１０７を経由して再び圧縮伸張処理部１０５へ入力される。この画像データの流れは、図６におけるデータパス６００４の部分に相当する。
【００９３】
圧縮伸張処理部１０５では、ＲＧＢ多値の非圧縮の画像データが入力された為、ＲＧＢ多値画像データのＪＰＥＧ圧縮処理を行う。圧縮伸張処理部１０５でＪＰＥＧ圧縮処理を施されたＲＧＢ多値のＪＰＥＧ画像データは、電子メール添付用画像データとしてデータパス制御部１０７へ出力される。このＪＰＥＧ画像データは、データパス制御部１０７を経て、外部Ｉ／Ｆ１０６へ送られる。この画像データの流れは、図６におけるデータパス６００５の部分に相当する。
【００９４】
外部Ｉ／Ｆ１０６では、入力されたＲＧＢ多値のＪＰＥＧ画像データを、操作部１０９からの設定によって予め作成されている電子メールの添付ファイルとなるよう処理を行い、ＬＡＮ１２０上へ出力する。この画像データの流れは、図６におけるデータパス６００６の部分に相当する。
【００９５】
ＭＦＰ−Ａ１００の外部Ｉ／Ｆ１０６から出力された添付ファイル付きの電子メールは、上述のＳＥＮＤ動作の説明と同様に、ＬＡＮを経由して、送信宛先として設定されていたＬＡＮ上のＰＣ−Ｂ１４０、ＰＣ−Ｃ１５０、インターネット上のＰＣ−Ｄ１７０へ送信される。この電子メールの流れは、図６におけるデータパス６００７、６００８に相当する。
【００９６】
このボックス  ｔｏ  ＳＥＮＤ動作に関する設定は、操作部１０９からユーザによって入力され、その設定がＣＰＵ１１０に伝えられる。そしてＣＰＵの制御のもと、ＭＦＰ−Ａ１００を構成している各処理部分が動作する。そして、ユーザによる設定時の操作部１０９への画面表示や、ＭＦＰ−Ａ１００の動作状況の表示などは、ＣＰＵ１１０から操作部１０９へとデータが送られ、表示部９０２によってユーザに表示されることとなる。これらのデータのやり取りは図６の６００９、６０１０に相当する。
【００９７】
次に、画像蓄積部１０８に蓄積されているボックス文書のファイル属性を利用したスキャン設定の実施例を説明する。
【００９８】
図１０に、本実施形態の基本フローチャートを示す。このフローチャートは、ＭＦＰ−Ａ１００のＣＰＵ１１０によって実行される。
【００９９】
まず、ボックス内のボックス文書を選ぶボックス文書選択フロー（Ｓ１００１）を実行し、そのあと、スキャン（原稿読み取り）の設定を行うスキャン設定フロー（Ｓ１００２）を実行する。
【０１００】
図１１は、図１０のフローチャート詳細に記載したものである。なお、フローチャートの左側の処理はＭＦＰ−Ａ１００の処理で、右側はユーザによる操作が伴う処理を示す。以下に順を追って説明する。
【０１０１】
まず、ユーザはＭＦＰ−Ａ１００にログインを行う。（Ｓ１１０１）これは、ユーザ認証を行うＭＦＰ−Ａ１００の操作部１０９上での操作であっても、そうでなくてもかまわない。
【０１０２】
ＭＦＰ−Ａ１００はユーザのログインを受け付け、（Ｓ１１０２）、機能設定画面を表示する（Ｓ１１０３）。
【０１０３】
続いて、ユーザはスキャン設定の設定方法を選択する（Ｓ１１０４）。
【０１０４】
ステップＳ１１０４で、スキャン設定優先を選択した場合、表示部９０２にスキャン設定画面（後に詳述）を表示し、ＳＥＮＤを行う場合は、送信宛先設定などを行う（Ｓ１１０５）。続いて、スキャン設定のための参照ファイルを選択する（Ｓ１１０６）。
【０１０５】
一方、参照ファイルを先に選択する場合、ユーザは後述する設定画面の「ボックス」タブを選択し（Ｓ１１１４）、設定参照用ファイルを選択する（Ｓ１１１５）。そしてスキャン設定用参照ファイルを選択した後に、スキャンやＳＥＮＤ設定を行う（Ｓ１１１６）。
【０１０６】
上記の２つの設定方法のいずれかによって、スキャン用の設定参照用ファイルを選択すると、ＭＦＰ−Ａ１００では設定参照ファイルの属性を検索する（Ｓ１１０７）。続いて、スキャン動作に対して自動で設定可能な項目を検索し（Ｓ１１０８）、それらの設定可能な項目は自動的に設定し、その設定内容を操作画面上に表示する（Ｓ１１０９）。
【０１０７】
自動読み込み設定とその表示が終わると、ユーザは追加あるいは補足的な設定を行うことが可能となる（Ｓ１１１０）。例えば、スキャンする原稿が両面であるかなどの設定項目である。
【０１０８】
続いて、ユーザはスタートキーを押下し（Ｓ１１１１）、ＭＦＰ−Ａ１００はスキャン（画像の読み込み）を開始し（Ｓ１１１２）、コピーやＳｅｎｄ機能を実行する（Ｓ１１１３）。
【０１０９】
以下、図１２〜図２１を用いて、このスキャン設定方法を用いた操作部を含めた操作例について説明する。
【０１１０】
＜操作例１＞
図１４〜図１６は、操作例１として、自動スキャン機能設定を用いてボックス文書とスキャン原稿画像データをジョブ結合してＳＥＮＤを行なう操作を示す。読み取り原稿とジョブ結合する対象であるボックス文書は以下の通りである。
【０１１１】
読み取り原稿１４００：Ａ４サイズ、カラー部分有り
ボックス文書１５００：Ａ４サイズ、ＪＰＥＧ画像ファイル、解像度３００ｄｐｉ、カラー画像
これらをジョブ結合して、添付ファイルつき電子メールとしてＳＥＮＤする。
【０１１２】
まず、ユーザは操作部１０９を操作し、送信／ＦＡＸタブ１４０１を選択し、宛て先入力１４０３を選択し、電子メールアドレスの入力を行うと、相手先のメールアドレス１４０２が表示される。続いて、「ファイル属性によるスキャン設定」１４０４を選択すると、ボックスタブ１５０１がアクティブになり、図１５のような画面が表示される。
【０１１３】
ユーザは、スキャン設定を参照する対象であり、かつ文書結合する結合先でもあるボックス文書である「月報資料．ｊｐｇ」１５０２を操作画面１０９上で選択する。続いて、操作画面１０９上の「結合送信」キー１５０３を押下すると、図１６に示すような「送信／ＦＡＸ」設定画面へと移行する。
【０１１４】
図１６の画面では、図１５の画面で「結合送信」キー１５０３を選択したために、送信宛先の電子メールアドレスの他に、添付するボックス文書のファイル名称「月報資料．ｊｐｇ」１６０３が示されている。これはまだジョブ結合前のファイルである。更に、ファイル属性を検索した結果、
読み込み設定１６０２：３００ｄｐｉ×３００ｄｐｉ、ＡＣＳ（自動カラー／白黒選択）、８ｂｉｔ多値
ファイル形式１６０４：ＪＰＥＧ
ページごとに分割１６０５：有効
ファイル名：１６０３：結合先ボックス文書のファイル名
を自動的に設定を行う項目と決定し、その設定が完了していることをユーザが識別可能に表示する。
【０１１５】
続いて、ユーザはこの自動的に設定された項目を基に、更なる設定を追加していく。
【０１１６】
「編集」タブ１６１１上のメニューには、この後必要と思われるメニューが前面に出て、それよりも設定階層の深いメニューに関しては、別途設定を行わせることになる。例えば、結合先ボックス文書１５００は印刷オブジェクトではないので、両面印刷などの印刷に関わる設定はなされていない。ユーザはこれから読み込む原稿が両面原稿であるか否かは自分自身で設定を行うことになる。そのため、「両面原稿」キー１６０７が前面に表示される。この「両面原稿」キー１６０７は押すだけで、両面原稿を読み込むように設定することが可能である。
【０１１７】
その他、結合する文書を追加する「文書追加」キー１６０６、スキャンの詳細設定を行う「読込詳細設定」キー１６０８、スキャンした原稿の画像データを結合先ボックス文書のどのページ位置に挿入するかを設定する「文書差込設定」キー１６０９（後に詳細は後述）、図示していないが、「結合ファイル名称の変更」などはユーザ自身の操作で画面を切り換えて、詳細な設定を行うこととなる。
【０１１８】
また、図示はしていないが、「文書差込設定」はデフォルトの設定を決めることが可能である。例えば、「設定なき場合は文書後方に結合する」などの設定である。ユーザ認証機能を持つシステムであれば、ユーザ毎に設定情報を保持することも可能である。
【０１１９】
これらの補完設定を完了、「統合送信スタート」キー１６１０を押下すると、ＭＦＰ−Ａ１００は、スキャン動作、ジョブ結合動作、ＳＥＮＤ動作を順次行う。
【０１２０】
この時、スキャン設定を参照するためのボックス文書と、ジョブを結合先として指定するボックス文書を別々に指定することも可能であるし、ジョブ結合した文書を元のボックス文書に上書きしてボックス内に格納することも設定により可能な構成とする。前述したように、ジョブ結合したボックス文書の名称を別に設定したのであれば、別々に格納することも可能である。
【０１２１】
更に、指定したボックス文書とジョブ結合をせずに読み込み設定のみを取得することも当然可能である。その場合は、「送信設定」キー１６１２を押下した後に表示されるメニュー内に、「スキャンしたファイルのみ送信」という選択項目を有しておクコとで実現可能である。その場合には、「統合送信スタート」キー１６１０のキーラベルを通常の「送信スタート」という名称に切り換えて、ＳＥＮＤ動作を開始させることになる。
【０１２２】
＜操作例２＞
次に、図１７〜図１９を用いて操作例２を説明する。操作例２は、操作例１と同様に自動スキャン機能設定を用いてボックス文書とスキャン原稿画像データをジョブ結合してＳＥＮＤを行なう操作を示すものであるが、操作の手順が操作例１とは異なる。
【０１２３】
読み取り原稿とジョブ結合する対象であるボックス文書は以下の通りである。
【０１２４】
読み取り原稿１９００：Ａ３サイズ、カラー部分有り、しかし白黒として結合したい
ボックス文書１７００：Ａ４サイズ、ＰＤＦファイル、解像度６００ｄｐｉ、白黒画像
これらをジョブ結合して、添付ファイルつき電子メールとしてＳＥＮＤする。
【０１２５】
操作例２は、図１１のフローチャートのＳ１１０４で、「参照ファイル選択優先」による動作に対応する。
【０１２６】
ユーザは「ボックス」タブ１７０１を選択し、図１７に示すようにボックス画面を表示し、スキャン設定を参照する対象であり、かつ文書結合する結合先でもあるボックス文書「スコアラ情報．ｐｄｆ」１７０２を選択する。続いて、「ファイル属性によるスキャン設定」キー１７０３を押下して、図１８の読込み設定画面に遷移する。
【０１２７】
図１７の画面で、操作例１に示したように先に送信設定をしておくと、「統合送信」キー１５０３が表示されるのに対し、この時点では統合送信するかはわからないため、「ファイル属性によるスキャン設定」キー１７０３が表示される。
【０１２８】
図１８に示すスキャン設定画面上には、図１７で指定した結合先ボックス文書から得られた設定情報より、設定可能なものを自動的に設定する。
【０１２９】
読み込み設定１８０２：６００ｄｐｉ×６００ｄｐｉ
ファイル形式１８０４：ＰＤＦ
ページごとに分割１８０５：無効
ファイル１８０３：結合先ボックス文書ファイルを表示
この時、操作例２と同様に、「編集」タブ内には追加設定の可能性の高いメニューを優先的に表示する。
【０１３０】
「両面原稿」キー１８０７はユーザ設定を促しやすく表示し、「Ａ４サイズ（結合元文書の用紙サイズ）に合わせる」キー１８１１もデフォルトで設定状態としておき、もしＡ４ではない用紙（この操作例ではＡ３）が読み込まれた場合は、自動的にＡ４変倍して、ジョブ結合を行う。
【０１３１】
前述した実施例と同様に、「読込詳細設定」キー１８０８、「文書追加」キー１８１１、「文書差込設定」キー１８０９（図２３で後述する）などはユーザ自身の操作で画面を切り換えて、詳細な設定を行うこととなる。
【０１３２】
続いて、ユーザは「送信設定」キー１８１２を選択すると図１９に示すような画面に遷移し、送信宛先の電子メールアドレスを入力すると、宛先欄に電子メールアドレス１９０２が表示される。また、「ファイル」欄には、ジョブ統合送信するボックス文書名称１９０３が表示される。続いて、「結合送信」キー１９０４を選択すると、スキャン動作、ジョブ結合動作、ＳＥＮＤ動作を順次行なう。
【０１３３】
ここで、ジョブ結合せずに送信したり、ジョブ結合したボックス文書をもとのボックス文書に上書き保存したり別名で保存したりすることも操作例１と同様に行なうことが可能である。
【０１３４】
＜操作例３＞
次に図２０〜図２１を用いて操作例３を説明する。操作例３は、操作例１、２と同様にジョブ結合してＳＥＮＤを行なう操作を示すものであるが、ボックス文書がＰＣアプリケーションであるワープロで作成されたファイルである点が異なる。以下、その操作例を説明する。
【０１３５】
読み取り原稿とジョブ結合する対象であるボックス文書は以下の通りである。
【０１３６】
読み取り原稿２００１：Ａ４サイズ、カラー部分有、文字の多い原稿
ボックス文書２０００：Ａ４サイズ、ワープロファイル、解像度３００ｄｐｉカラー部分有り
これらをジョブ結合して、添付ファイルつき電子メールとしてＳＥＮＤする。
【０１３７】
まずは、図１４などに示すような送信先設定フローによって、送信宛先入力およびファイル属性によるスキャン設定ボタンを選択する。
【０１３８】
すると図２０に示すように、「ボックス」タブ２００２がアクティブになり、ボックス文書が選択可能になる。ここでスキャン設定を参照する対象であり、かつ文書結合する結合先でもあるボックス文書「定例会議関連」２００３を選択する。
【０１３９】
続いて、「統合送信」キー２００４を押下すると、図２１の送信用スキャン設定画面が表示され、「送信／ＦＡＸ」タブ２１０１がアクティブになる。
【０１４０】
図２１の画面が表示されると、以下の設定は自動的に設定されることをユーザが識別可能に示している。
【０１４１】
読み込み設定２１０２：３００ｄｐｉ×３００ｄｐｉ、ＡＣＳ、カラー２値
ファイル形式２１０４：Ｗｏｒｄ文書
ページごとに分割２１０５：不要
ファイル名称２１０３：結合先ボックス文書名を表示
宛先：入力済
後は、読み込み原稿が両面原稿であれば、「両面原稿」キー２１０７をアクティブに設定し、「文書差込設定」キー２１０９（図２３で後述）、「読込詳細設定」などについて、ユーザが画面を切り換えて別途設定を行うことが可能である。
【０１４２】
しかし、操作例３では、ＰＣアプリケーションファイルであるワープロファイルを統合するため、使用するＭＦＰの持つ機能により、結果が異なってくることとなる。
【０１４３】
いくつかのケースについて、図２２のフローチャートと図２１の設定を交えて説明する。
【０１４４】
図２２に示すように、ＭＦＰ−Ａ１００がジョブ結合するファイルの情報を検索した（Ｓ２２００）時に、ＭＦＰ−Ａ１００がＰＣアプリケーション文書を認識あるいは編集機能を有しているか否かでその後の処理が異なる（Ｓ２２１０）。
【０１４５】
まずは、ＭＦＰ−Ａ１００がＰＣアプリケーションを処理する手段を有しているケースについて説明する。
【０１４６】
このときは、ユーザはジョブの結合方法を選択することになる。
【０１４７】
例えば、ＭＦＰ−Ａ１００にＯＣＲ（Ｏｐｔｉｃａｌ  Ｃｈａｒａｃｔｅｒ  Ｒｅｃｏｇｎｉｔｉｏｎ）のような文字認識手段を有しているような場合（ステップＳ２２２０で「文書データ」へ分岐）は、原稿をスキャンして認識できた文字列を、ボックス文書２０００に対して文字として挿入することにより、ジョブ結合を行うものことが可能になる。図２１の操作画面上で「ＯＣＲ合成」キー２１１１を選択した場合、ＭＦＰ−Ａ１００はＯＣＲ合成機能を起動して（ステップＳ２２２１）、スキャン開始の指示を待つ。
【０１４８】
また、ＭＦＰの機種によっては、読み取った原稿画像データの文字と画像の領域を分けて、オブジェクトを管理できるような機種もあり、そのような機種の場合は、操作画面１０９で文字と画像をそれぞれどのように合成するかを詳細に決めていくことも可能になる。
【０１４９】
ＭＦＰに文字認識機能がなく、読み込んだ原稿は画像データ（例えば、ＪＰＥＧ）のまま、Ｗｏｒｄ文書の後に結合したい場合（ステップＳ２２２０で「画像データ」へ分岐）は、図２１の「画像合成」キー２１１０を選択して、次の作業に移行する。
【０１５０】
次に、ＰＣアプリケーション文書を編集する機能がない場合について述べる（２２１０でＮｏ）。
【０１５１】
まず、前述したような、スキャン設定を参照する効果がなくなる。その場合は、「設定できる項目がありません」と表示する。もし、設定フローの中で「統合送信」キーを選択している場合は、「別のファイルとして同時に送信を行う」キーを表示して、チェックを促す。
【０１５２】
仮に、ユーザが「画像合成」キー２１１０を選択しても、スキャンした後、ボックス文書を変更できないため、二つのファイルは別ファイルとして電子メールに添付されてＳＥＮＤされる。
【０１５３】
次は、ＭＦＰ−Ａ１００がＰＣアプリケーション文書を編集できないが、結合先ボックス文書が印刷オブジェクトとしてボックス内に格納されているような場合については、「印刷データ合成」キー２１１２を選択すると、読み込んだ原稿画像データを印刷オブジェクトに変換してからジョブ結合してＳＥＮＤする。
【０１５４】
しかし、印刷オブジェクトを直接送信するケースは少ないため、その時は、印刷オブジェクト格納先のリンク情報（たとえばＵＲＬやファイルのパス）を記述した電子メールを送付する（ステップＳ２２３１）ことで、リンク情報を受信したユーザは遠隔操作などの方法でＭＦＰにアクセスを行って、印刷データを別のＭＦＰへ受け渡してから印刷をして、用紙を受け取ることも可能になる。
【０１５５】
また、一方で、印刷オブジェクトからもとの画像データを復元して、画像データとしてジョブを結合して送信する「画像復元合成」キー２１１３というボタンを設ける。
【０１５６】
操作画面上で、合成方法および送信方法などを選択すると、文書を追加する位置を決定し（ステップＳ２２４０）、送信先・読み込みに関する追加設定（ステップＳ２２５０、Ｓ２２６０）をして、全設定が終了したら、読み込みを開始（ステップＳ２２７０）して、所定の動作を行い本フローチャートを終了する。
【０１５７】
このような方法を取ることで、ボックス内にＰＣアプリケーションファイルをそのまま格納されたとしても、ジョブを結合してデータを送信することが可能となる。
【０１５８】
図２３を用いて「文書差込設定」の操作について説明する。
【０１５９】
図１６、１８、２１の「文書差込設定」キー（それぞれ１６０９、１８０９、２１０９）を押下すると、図２３のような操作画面が表示される。「ボックス」タブ２３００がアクティブになり、結合先ボックス文書サムネイル（縮小画像）のプレビュー画像２３０１が表示される。サムネイル表示できないファイル形式の場合は、差込設定はグレーアウトされるようにしても良い。
【０１６０】
各画像には、チェックボックス２３０２と挿入枚数２３０３および挿入位置ボックス（チェックを入れたサムネイルのページの前に挿入するのか後に挿入するのかを選択する）２３０４が用意されている。ユーザが所望の入力を行なうと、項目を埋めた個所に対して読み取った原稿画像データを挿入してジョブを結合を行なう。通常は、文書の読み込み順に結合元の若いページから順に挿入されていく。
【０１６１】
なお、操作例１〜３において、原稿画像データとボックス文書とをジョブ結合してＳＥＮＤする動作について説明したが、文書結合した後の文書データを再びボックスに格納するようにしても良い。
【０１６２】
操作例１〜３によれば、原稿画像を読み取ってボックス文書とジョブ結合を行なう際に、これから読み取る原稿画像の読み取り設定を結合先であるボックス文書の設定値を用いて自動的に設定してやることによって、両者の設定を容易に統合することができる。
【０１６３】
＜操作例４＞
図１２、図１３を用いて操作例４について説明する。操作例４は操作例１〜３のようなジョブ結合を行なうものではなく、コピー動作時のスキャン設定を行う例である。
【０１６４】
ユーザがコピーを行おうとしている原稿１３００は、両面原稿であり、カラー原稿である。そしてユーザはＡ３サイズをＡ４サイズにしてコピーをしたいものとする。そして、ユーザは以前、これと同じ出力設定でボックス文書を印刷したことがあり、その設定を利用したいというシチュエーションであるとする。
【０１６５】
ユーザは、図１２の操作画面上からボックスタブ１２０１を選択して、設定を参照するボックス文書「ファンサービス資料関連」１２０２を選択する。このボックス文書から読み取れた情報は、以下の通りである。
【０１６６】
両面印刷
カラー画像
Ａ３からＡ４へ縮小
続いて、ユーザは「ファイル属性によるスキャン設定」キー１２０３という項目を押下し、図１３の「コピー」タブ１３０１を押下する。
【０１６７】
前述のユーザ操作により、画面は図１３のようにコピー設定画面へと移行する。図１３にはファイル属性から設定可能なスキャン項目を検索した結果が操作画面に自動的に設定するとともに、設定された項目を既に設定済みであることをユーザが識別可能に表示する。設定されたのは以下の項目である。
【０１６８】
カラー読み込み（１３０２）
倍率  ７０％（１３０３）
両面印刷（１３０４）
一方、ユーザによって追加設定可能な項目（印刷部数１３０３や、フィニッシング設定１３０６など）についても、別途ユーザが識別可能に表示することも可能である。
【０１６９】
以上の設定を行ってから、コピー開始ボタンを押すことで、設定に関する項目を減らすことが可能になる。もちろん、自動設定を行なった部分に対してユーザが変更を加えても良い。
【０１７０】
操作例４によれば、ジョブ結合を行なわない場合でもボックスに格納されているボックス文書の設定値を参照してこれから行なうコピーの設定に用いることができ、複雑なコピーの設定を容易にすることができる。
【０１７１】
以上説明したように、本実施形態によれば、原稿画像を読み取る際の読み取りの設定をボックスに格納されているボックス文書の設定に基づいて自動的に設定することでユーザによる読み取り設定の手間を軽減することができる。
【０１７２】
更に、原稿画像を読み取ってボックス文書とのジョブ結合を行なう場合には、結合先ボックス文書との設定を統合することができ、ユーザにとって結合後の文書のハンドリングが良くなる。
【０１７３】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【０１７４】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【０１７５】
その場合、プログラムの機能を有していれば、オブジェクトコード、インタプリタにより実行されるプログラム、ＯＳに供給するスクリプトデータ等、プログラムの形態を問わない。
【０１７６】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１７７】
その他、プログラムの供給方法としては、クライアントコンピュータのブラウザを用いてインターネットのサイトに接続し、該サイトから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるサイトからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【０１７８】
また、本発明のプログラムを暗号化してＣＤ−ＲＯＭ等の記憶媒体に格納してユーザに配布し、所定の条件をクリアしたユーザに対し、インターネットを介してサイトから暗号化を解く鍵情報をダウンロードさせ、その鍵情報を使用することにより暗号化されたプログラムを実行してコンピュータにインストールさせて実現することも可能である。
【０１７９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１８０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１８１】
【図１】本発明の実施形態におけるスキャン・プリントシステム全体の構成を示す図である。
【図２】スキャン・プリントシステムにおけるＭＦＰ−Ａ１００での通常のコピー動作を示した図である。
【図３】ＭＦＰ−Ａ１００のスキャン画像を画像蓄積部１０８へ格納する際の動作を示した図である。
【図４】ＭＦＰ−Ａ１００の画像蓄積部１０８へ格納されている画像をプリントアウトする際の動作を示した図である。
【図５】ＭＦＰ−Ａ１００のスキャン画像をＳＥＮＤする際の動作を示した図である。
【図６】ＭＦＰ−Ａ１００の画像蓄積部１０８へ格納されている画像をＳＥＮＤする際の動作を示した図である。
【図７】ＭＦＰ−Ａ１００内の画像処理部１０２の機能ブロックを示した図である。
【図８】ＭＦＰ−Ａ１００内の圧縮伸張処理部１０５の機能ブロックを示した図である。
【図９】ＭＦＰ−Ａ１００操作部の例を示した図である。
【図１０】実施形態における基本的な動作フローを示したフローチャートである。
【図１１】図１０の基本フローを詳細化したフローチャートである。
【図１２】操作例４によるコピー設定における設定参照用ファイル選択画面例である。
【図１３】操作例４における自動読み込み設定例およびユーザ設定項目例である。
【図１４】操作例１のＳｅｎｄ設定における宛先入力画面例である。
【図１５】操作例１の参照ファイル選択画面例である。
【図１６】操作例１の自動読み込み設定例およびユーザ追加項目例である。
【図１７】操作例２の参照ファイル選択フロー優先の場合における画面例である。
【図１８】操作例２の自動読み込み設定例である。
【図１９】操作例２の送信設定例である。
【図２０】操作例３の設定参照用ファイル選択画面例である。
【図２１】操作例３のジョブ結合方法における設定画面例である。
【図２２】操作例３におけるジョブ結合の選択フローを示すフローチャートである。
【図２３】本実施形態における差込設定例である。
【符号の説明】
【０１８２】
１００  ＭＦＰ−Ａ
１０８  画像蓄積部
１０９  操作部
１２０  ローカルエリアネットワーク
１３０  ＰＣ−Ａ
１４０  ＰＣ−Ｂ
１５０  ＰＣ−Ｃ
１６０  インターネット
１７０  ＰＣ−Ｄ
【図１】
2007013607.tif 000003
【図２】
2007013607.tif 000004
【図３】
2007013607.tif 000005
【図４】
2007013607.tif 000006
【図５】
2007013607.tif 000007
【図６】
2007013607.tif 000008
【図７】
2007013607.tif 000009
【図８】
2007013607.tif 000010
【図９】
2007013607.tif 000011
【図１０】
2007013607.tif 000012
【図１１】
2007013607.tif 000013
【図１２】
2007013607.tif 000014
【図１３】
2007013607.tif 000015
【図１４】
2007013607.tif 000016
【図１５】
2007013607.tif 000017
【図１６】
2007013607.tif 000018
【図１７】
2007013607.tif 000019
【図１８】
2007013607.tif 000020
【図１９】
2007013607.tif 000021
【図２０】
2007013607.tif 000022
【図２１】
2007013607.tif 000023
【図２２】
2007013607.tif 000024
【図２３】
2007013607.tif 000025